(57)【要約】【課題】  ＩＣカードのスイッチの誤入力や指紋センサの損傷を抑制できるカードケースを提案する。【解決手段】  指紋センサ及び入力手段を具備するＩＣカードを収納部に収納するカードケース１であって、収納部２は当該収納部２にＩＣカードが挿入されることによって入力手段を押圧する押圧部３を有することを特徴とする。【選択図】    図１
2006146397.tif 000002
【特許請求の範囲】
【請求項１】
指紋センサ及び入力手段を具備するＩＣカードを収納部に収納するカードケースであって、
前記収納部は、当該収納部に前記ＩＣカードが挿入されることによって前記入力手段を押圧する押圧部を有することを特徴とするカードケース。
【請求項２】
前記押圧部は、前記収納部に前記ＩＣカードが挿入されるに伴って、当該ＩＣカードの挿入方向の鉛直方向に前記入力手段を押圧するスロープ部を有することを特徴とする請求項１に記載のカードケース。
【請求項３】
前記押圧部は、前記収納部上の開閉可能な第１窓部に形成されており、
前記ＩＣカードが前記収納部に収納されている状態で前記第１窓部が開口することによって、前記押圧部が押圧している方向とは逆方向に前記入力手段が突出することを特徴とする請求項１又は請求項２に記載のカードケース。
【請求項４】
前記収納部は、当該収納部に挿入される前記ＩＣカードの前記指紋センサと対応する位置に、当該収納部と当該指紋センサとの間に空間を形成する段差部を有することを特徴とする請求項１から請求項３のいずれか一項に記載のカードケース。
【請求項５】
前記段差部は、前記収納部上の開閉可能な第２窓部に形成されており、
前記ＩＣカードが前記収納部に収納されている状態で前記第２窓部が開口することによって、前記指紋センサが前記収納部の外部に露出することを特徴とする請求項１から請求項４のいずれか一項に記載のカードケース。
【請求項６】
前記収納部は、当該収納部に挿入された前記ＩＣカードの主面の一部を露出する開口部を有することを特徴とする請求項１から請求項５のいずれか一項に記載のカードケース。
【請求項７】
前記収納部は、当該収納部内に前記ＩＣカードを挿入する挿入口を有し、前記挿入口は前記ＩＣカードを案内する案内部を有していることを特徴とする請求項１から請求項６のいずれか一項に記載のカードケース。
【請求項８】
前記収納部は、当該収納部内に収納された前記ＩＣカードの脱落を防止する脱落防止部を有していることを特徴とする請求項１から請求項７のいずれか一項に記載のカードケース。
【請求項９】
前記収納部は、透明性材料によって形成されていることを特徴とする請求項１から請求項８のいずれか一項に記載のカードケース。
【請求項１０】
前記収納部は、可撓性材料によって形成されていることを特徴とする請求項１から請求項９のいずれか一項に記載のカードケース。
【請求項１１】
前記収納部は、当該収納部を保持する保持部材に連結可能な連結部を有することを特徴とする請求項１から請求項１０のいずれか一項に記載のカードケース。
【発明の詳細な説明】
【技術分野】
【０００１】
本発明は、ＩＣカードを収納するカードケースに関する。
【背景技術】
【０００２】
従来、カードケースにおいては、磁気バー又はチップを備えたＩＤカード等の肉薄なカードを収容する収容エレメントが知られている（例えば、特許文献１参照。）。
このような収容エレメントは、収容室へのカードの差込み時の損傷を防止し、また、磁気バーに含まれた情報が部分的に破壊されてしまうことを防止している。
【０００３】
一方、近年では、ＩＣ（集積回路）チップを搭載したＩＣカード（スマートカード）が提案されている。このようなＩＣカードは、磁気ストライプカードと比較して、高情報容量化、セキュリティ性向上（偽変造、不正使用の防止）、複数のアプリケーションに対応可能、ホスト負荷軽減（オフライン処理が可能）等を実現するものである。また、最近では、利用者が、特定の情報を入力したり、各種アプリケーションを選択したりすることが可能なスイッチや、個人認証用の指紋センサを備えたＩＣカードが提案されている。
【特許文献１】特開平５−１３０９１２号公報
【発明の開示】
【発明が解決しようとする課題】
【０００４】
ところで、スイッチや指紋センサを備えたＩＣカードを上記の特許文献に記載されているカードケース（収容エレメント）に収納する場合では、不用意に、又は予期しない何らかの接触によりスイッチが押されてしまい、誤動作するという問題がある。また、指紋センサは、その表面に薄膜のパシベーション膜が形成されており引掻き傷によって破損してしまうという問題もある。
本発明は、上述した事情に鑑みてなされたもので、ＩＣカードのスイッチの誤入力や指紋センサの損傷を抑制できるカードケースを提案することを目的とする。
【課題を解決するための手段】
【０００５】
本発明者は、上記に基づいて以下の手段を有する本発明を想到した。
即ち、本発明のカードケースは、指紋センサ及び入力手段を具備するＩＣカードを収納部に収納するカードケースであって、前記収納部は当該収納部に前記ＩＣカードが挿入されることによって前記入力手段を押圧する押圧部を有することを特徴としている。
本発明においては、ＩＣカードは、入力手段が押圧部によって押圧されることで停止状態となり、入力手段が押圧されていない場合では起動状態となることが好ましい。
また、ＩＣカードは、指紋センサを備えると共に、その内部の演算部において利用者の指紋情報と指紋センサから入力された入力情報とを比較して自動的に利用者の個人認証を行うようになっている。
【０００６】
このようにすれば、収納部にＩＣカードが挿入されると押圧部が入力手段を押圧するので当該ＩＣカードを停止状態にすることができる。一方、収納部からＩＣカードを取り出すと入力手段は押圧されないため起動状態にすることができる。従って、ＩＣカードの収納時では停止状態を維持できるので、ＩＣカードに他の入力があっても誤起動したり誤動作したりすることがない。従って、ＩＣカードの動作のＯＮ／ＯＦＦを確実に規制することができる。
【０００７】
また、本発明のカードケースにおいては、前記押圧部は、前記収納部に前記ＩＣカードが挿入されるに伴って、当該ＩＣカードの挿入方向の鉛直方向に前記入力手段を押圧するスロープ部を有することを特徴としている。
ここで、ＩＣカードが収納部に挿入されると、スロープ部と入力手段の上部が接触し、次第にＩＣカードが収納部の奥に挿入されると、スロープ部はその表面において入力手段の上部を滑らせながら、挿入方向の鉛直方向に当該入力手段を押圧する。このように、スロープ部と入力手段との摺動を利用することにより、挿入方向とは異なる鉛直方向に入力手段を押圧することができる。
【０００８】
また、本発明のカードケースにおいては、前記押圧部は前記収納部上の開閉可能な第１窓部に形成されており、前記ＩＣカードが前記収納部に収納されている状態で前記第１窓部が開口することによって、前記押圧部が押圧している方向とは逆方向に前記入力手段が突出することを特徴としている。
ここで、第１窓部が閉口状態でＩＣカードが収納部に収納されていると、押圧部が入力手段を押圧するのでＩＣカードが停止状態に維持される。また、第１窓部が開口状態となると、入力手段の上部は、押圧部のスロープ部の表面と滑りながら突出する。従って、第１窓部を開閉させることにより、ＩＣカードが収納部に収納されている状態でＩＣカードの動作のＯＮ／ＯＦＦを確実に規制することができる。
【０００９】
また、本発明のカードケースにおいては、前記収納部は当該収納部に挿入される前記ＩＣカードの前記指紋センサと対応する位置に、当該収納部と当該指紋センサとの間に空間を形成する段差部を有することを特徴としている。
このように段差部を有することにより、ＩＣカードが収納部に挿入する場合や、ＩＣカードが収納部に収納されている場合等において、指紋センサと収納部との間に空間が形成されるので、指紋センサと収納部とを非接触状態に保持することができ、収納部と指紋センサが接触、摺動することによる引掻き傷を防止でき、指紋センサの破損を防止できる。
【００１０】
また、本発明のカードケースにおいては、前記段差部は前記収納部上の開閉可能な第２窓部に形成されており、前記ＩＣカードが前記収納部に収納されている状態で前記第２窓部が開口することによって、前記指紋センサが前記収納部の外部に露出することを特徴としている。
ここで、第２窓部が閉口状態でＩＣカードが収納部に収納されていると、段差部が収納部と指紋センサとの間に空間を形成して指紋センサが保護される。また、第２窓部が開口状態となると、指紋センサは収納部の外部に露出する。従って、第２窓部を開閉させることにより、ＩＣカードが収納部に収納されている状態で指紋センサを保護させたり、指紋センサを露出させたりすることができる。従って、ＩＣカードの収納状態で、指紋センサを利用して、利用者の個人認証を行うことができる。
【００１１】
また、本発明のカードケースにおいては、前記収納部は当該収納部に挿入された前記ＩＣカードの主面の一部を露出する開口部を有することを特徴としている。
このようにすれば、利用者は開口部を介して指でＩＣカードに触れることが可能となり、当該ＩＣカードに触れた指が、ＩＣカードの挿入方向とは逆方向に移動力を付与することにより、ＩＣカードを収納部から容易に取り出すことができる。
【００１２】
また、本発明のカードケースにおいては、前記収納部は当該収納部内に前記ＩＣカードを挿入する挿入口を有し、前記挿入口は前記ＩＣカードを案内する案内部を有していることを特徴としている。
このようにすれば、利用者が収納部にＩＣカードを収納させる際に、案内部にＩＣカードの一部を接触させ、当該ＩＣカードの一部を挿入口に挿入させることにより、容易に収納部にＩＣカードを収納することができる。一方、案内部がない場合では、利用者は挿入口に直接的にＩＣカードを挿入しなければならないため、ＩＣカードを収納部に挿入するのが容易ではない。従って、案内部を有することにより、容易にカードケースにＩＣカードを収納することができる。
【００１３】
また、本発明のカードケースにおいては、前記収納部は当該収納部内に収納された前記ＩＣカードの脱落を防止する脱落防止部を有していることを特徴としている。
このようにすれば、収納部にＩＣカードが収納された状態で、挿入口を落下方向に向けてもＩＣカードは落下することがなく、ＩＣカードの落下や脱落を抑制することができる。従って、脱落防止部を有することにより、ＩＣカードが収納部に収納された状態を確実に維持することができる。
【００１４】
また、本発明のカードケースにおいては、前記収納部は透明性材料によって形成されていることを特徴としている。
このようにすれば、収納部内のＩＣカードの有無を確認することができる。
【００１５】
また、本発明のカードケースにおいては、前記収納部は可撓性材料によって形成されていることを特徴としている。
このようにすれば、可撓性を有するカードケースを実現できる。また、可撓性を有する部材にカードケースを装着して利用することができる。例えば、衣服等にカードケースを装着することができる。
【００１６】
また、本発明のカードケースにおいては、前記収納部は当該収納部を保持する保持部材に連結可能な連結部を有することを特徴としている。
このようにすれば、連結部を介して保持部材に容易に接続（連結）することができる。
【発明を実施するための最良の形態】
【００１７】
次に、本発明のカードケースに係る実施形態について説明する。
本実施形態は、本発明の一態様を示すものであり、本発明を限定するものではなく、本発明の技術的思想の範囲内で任意に変更可能である。なお、以下に示す各図においては、各層や各部材を図面上で認識可能な程度の大きさとするため、各部材ごとに縮尺を異ならせてある。
【００１８】
（カードケースの第１実施形態）
本発明のカードケースの第１実施形態について図を参照して説明する。
図１は本実施形態に係るカードケースを示す外観図であり、図１（ａ）はカードケースの表側から見た平面図、図１（ｂ）は図１（ａ）の矢視Ａから見た側面図、図１（ｃ）は図１（ａ）のＢ−Ｂ’断面を示す断面図、図１（ｄ）はカードケースの裏面（図１（ａ）に示す面とは反対面）から見た平面図である。
【００１９】
図１に示すように、カードケース１は、後述するＩＣカードの形状に合わせて略四角形状の外形を有している。更に、カードケース１は、ケース本体（収納部）２、押圧部３、段差部４、開口部５、挿入口６、ガイド部（案内部）７、保持穴（連結部）８、及びベルト（保持部材）９によって構成されている。
ケース本体２は、上部材２ａと下部材２ｂとによって構成された箱状の部材である。そして、当該ケース本体２の内部にＩＣカードを収納する収納スペース（収納部）２ｃを有している。そして、収納スペース２ｃの縦、横、及び高さの各寸法は、カードケース１の縦、横、高さの各寸法よりも若干大きな値となるように設定されている。これにより、ケース本体２の収納スペース２ｃ内にＩＣカードが収納されると共に、利用者がＩＣカードを使用する際には、容易に取り出すことが可能となっている。また、ケース本体２は、可撓性と透明性を有する樹脂材料によって形成されている。このような樹脂材料としては、例えば、アクリル、ポリイミド、ポリエチレンテレフタレート（ＰＥＴ）、ポリエチレンナフタレート（ＰＥＮ）等の寸法安定性の優れたプラスチック材料が採用される。
【００２０】
また、押圧部３は、ＩＣカードに設けられた入力スイッチ（入力手段）の平面位置に対応して形成されたものである。当該押圧部３は、平面部３ａとスロープ部１０とを有している。ここで、平面部３ａは、ケース本体２の内部底面１１に平行な面であり、後述するようにＩＣカードの入力スイッチを押圧状態で保持するようになっている。また、スロープ部１０は、ケース本体２にＩＣカードを挿入する挿入方向Ｃに対して傾斜する面であり、挿入方向Ｃが指す方向に応じて、内部底面１１の鉛直方向におけるスロープ部１０と内部底面１１との距離Ｄが次第に小さくさせている。
【００２１】
また、段差部４は、ＩＣカードに設けられた指紋センサの平面位置に対応して形成されたものである。ここで、段差部４が形成されている上面４ａと内部底面１１との距離Ｅと、段差部４が形成されていないケース本体２の内部上面１２と内部底面１１との距離Ｆとの関係は、距離Ｅ＞距離Ｆとなっている。これにより、段差部４は、距離Ｆから距離Ｅを差し引いた高さ寸法の空間を有することとなる。
【００２２】
また、開口部５は、ケース本体２の裏面側のみに形成された長穴である。当該長穴は、挿入方向Ｃに向けて延在している。これにより、ケース本体２に収納されたＩＣカードを取り出す際には、利用者が指を開口部５に入れてＩＣカードの裏面（主面）を抑え、挿入口６に向けてＩＣカードをスライドさせることで容易にＩＣカードを取り出すようになっている。
【００２３】
また、挿入口６は、ケース本体２にＩＣカードが挿入される入口である。また、ＩＣカードを取り出す際にも、当該挿入口６を介して行うことが可能となっている。更に、挿入口６には、ガイド部７が形成されている。当該ガイド部７は、挿入口６の近傍において、上部材２ａと下部材２ｂとが重なっていない部位であり、これにより図１（ａ）に示す平面図ではガイド部７が露出状態となっている。
【００２４】
保持穴８は、利用者の襟元に下げるベルト９と、ケース本体２とを連結させる長穴である。本実施形態においては、ケース本体２の右上部と左上部に各々保持穴８を形成し、当該両方の保持穴８にベルト９を通すことで、安定してカードケース１が利用者の胸元に位置させるようになっている。なお、当該保持穴８を右上部及び左上部に形成せずに、中央上部に形成し、胸ポケット等に止めるクリップ（保持部材）を連結させてもよい。
【００２５】
（ＩＣカード）
次に、カードケース１に収納されるＩＣカードについて説明する。
図２は、ＩＣカードを示す外観図であり、図２（ａ）はＩＣカードの平面図、図２（ｂ）はＩＣカードの側面図である。
図２（ａ）に示すように、ＩＣカードＫは、指紋センサ３０と、電気泳動表示デバイス（以下ＥＰＤと称する。）３１と、接続用ＩＣ端子３２と、入力スイッチ（入力手段）３３と、を備えている。
【００２６】
ここで、指紋センサ３０は、静電容量型、すなわち凹凸を有する指紋と検出面との間の距離に応じて変化する静電容量を測定して、指紋パターンを検出するようになっている。具体的には、利用者の指が指紋センサ３０に触れることによって、マトリックス状に配置されたＴＦＴ（薄膜トランジスタ）が指紋情報を静電容量として抽出するものである。また、ＩＣカードＫの内部には抽出された指紋情報と、予め設定されている認証用の指紋情報とを比較するＩＣチップ（演算部）が内蔵されている。
【００２７】
また、ＥＰＤ３１は、電気泳動を利用した電気泳動表示デバイス（Electro Phoretic Display）である。当該ＥＰＤ３１は、画像の表示記憶性や表示メモリ性を有する表示素子であるため、ＴＦＴ等の駆動素子が所定時間の間に所定電圧を付与することで、その後に電圧を付加することなく、画像を保持することが可能となる。これにより、画像を表示するための消費電力を低減できるので、低消費電力を実現できると共に、表示メモリ性を有するＩＣカードＫを実現できる。本実施形態においては、ＥＰＤ３１が社員情報を表示する社員証として機能するものである。
【００２８】
また、接続用ＩＣ端子３２は、ＩＣカードＫと不図示の外部装置との間で情報の送受信を行う際に、外部装置に設けられた端子に接続されるものである。また、接続用ＩＣ端子３２は、ＩＣカードＫの内部に設けられたＩＣチップに接続されており、外部装置とＩＣチップとの間で入出力信号を送受信するようになっている。
【００２９】
また、図２（ｂ）に示すように、入力スイッチ３３は、ＩＣカードＫの表面３４よりも上方に突出して形成されたものである。また、入力スイッチ３３は、ＩＣカードＫの内部側に弾性部材を有しており、押圧力が生じることによって符号３３ａの方向に動くと共に、押圧力が解除されると符号３３ｂの方向に復元するようになっている。従って、入力スイッチ３３は、表面３４に対して鉛直方向に押圧されたり及び復元したりするようになっている。また、入力スイッチ３３が押圧されている状態では、ＩＣカードＫの電源はＯＦＦ状態、即ち、停止状態となる。また、入力スイッチ３３が押圧されていない状態では、ＩＣカードＫの電源はＯＮ状態、即ち、起動状態となる。
【００３０】
また、ＩＣカードＫの厚さＧは、上記の距離Ｆ（ケース本体２の内部上面１２と内部底面１１との距離）よりも若干小さく、ＩＣカードＫがケース本体２の収納スペース２ｃに容易に挿入する寸法となっている。また、ＩＣカードＫの縦寸法、横寸法についても、ケース本体２の収納スペース２ｃよりも若干小さく、ＩＣカードＫが容易に挿入する寸法となっている。本実施形態においては、収納スペース２ｃの寸法とＩＣカードＫとの差の寸法を限定するものではないが、縦、横及び高さ寸法は、それぞれ、０．５ｍｍ程度のクリアランスがあれば、ＩＣカードＫを収納スペース２ｃに容易に出し入れすることが可能となる。
【００３１】
（カードケースにおけるＩＣカードの挿入／取り出し動作）
以下、図１及び図２を参照して、上記のカードケース１にＩＣカードＫを挿入／取り出し動作について説明する。
最初にカードケース１にＩＣカードＫを挿入する動作について説明する。ＩＣカードＫが挿入されていない状態では、入力スイッチ３３が押圧されていないため、ＩＣカードＫの電源がＯＮ状態、即ち起動状態となっている。
【００３２】
まず、利用者は、ＩＣカードＫをガイド部７に当接させて、挿入口６にＩＣカードＫを差し込む。ここで、ガイド部７と接触したＩＣカードＫの一部はガイド部７上を滑りながら挿入口６に挿入される。
次に、挿入方向Ｃに向けて、ＩＣカードＫをカード本体２の収納スペース２ｃに挿入する。ＩＣカードが収納スペース２ｃの奥に次第に挿入されていくと、押圧部３のスロープ部１０と入力スイッチ３３とが接触する。更に、ＩＣカードＫを挿入していくと、スロープ部１０は挿入方向Ｃが指す方向に応じて距離Ｄが次第に小さくなっているので、スロープ部１０は入力スイッチ３３の上部を滑らせながら符号３３ａの方向に押圧する。そして、収納スペース２ｃの奥にＩＣカードＫが当接するまで挿入することにより、平面部３ａによって入力スイッチ３３の押圧状態が保持される。このように入力スイッチ３３が押圧されることにより、ＩＣカードＫの電源がＯＦＦ状態、即ち停止状態となる。
【００３３】
このようにＩＣカードＫがカードケース１に収納されている状態においては、段差部４によって形成された空間が指紋センサ３０上に形成されるので、当該指紋センサ３０と段差部４の上面４ａとが非接触状態に維持される。
【００３４】
次に、カードケース１からＩＣカードＫを取り出す場合について説明する。
ケース本体２に収納されたＩＣカードを取り出す際には、利用者が指を開口部５に入れてＩＣカードＫの裏面を抑え、挿入口６に向けて移動力を付与し、ＩＣカードＫをスライドさせる。すると、平面部３ａによって押圧されていた入力スイッチ３３は、スロープ部１０へ移動し、更に、スロープ部１０の表面を滑ることで符号３３ｂの方向に向けて入力スイッチ３３が次第に突出する。そして、ＩＣカードＫは挿入口６から取り出される。このように入力スイッチ３３が突出することにより、ＩＣカードＫの電源がＯＮ状態、即ち起動状態となる。そして、利用者は、指紋センサ３０に指を当てて指紋認証を行う。
【００３５】
上述したように本実施形態においては、カードケース１にＩＣカードＫが挿入されると押圧部３が入力スイッチ３３を押圧するので当該ＩＣカードＫを停止状態にすることができる。一方、カードケース１からＩＣカードＫを取り出すと入力スイッチ３３は表面３４３から突起するように復元力が働き、ＩＣカードＫを起動状態にすることができる。従って、ＩＣカードＫの収納時では停止状態を維持できるので、ＩＣカードに他の入力があっても誤起動したり誤動作したりすることがない。従って、ＩＣカードの動作のＯＮ／ＯＦＦを確実に規制することができる。
【００３６】
また、カードケース１に形成された押圧部３はスロープ部１０を有するので、入力スイッチ３３の上部がスロープ部１０に接触した状態で、ＩＣカードＫが挿入されると、スロープ部１０はその表面において入力スイッチ３３の上部を滑らせながら、押圧することができる。このように、スロープ部１０と入力スイッチ３３との摺動を利用することにより、挿入方向Ｃとは異なる方向３３ａに入力スイッチ３３を押圧することができる。
【００３７】
また、カードケース１は段差部４を有するので、ＩＣカードＫがカードケース１に挿入する場合や、ＩＣカードＫがカードケース１に収納されている場合等において、指紋センサ３０とケース本体２とを非接触状態に保持することができ、指紋センサ３０とケース本体２とが接触、摺動することによる引掻き傷を防止でき、指紋センサ３０の破損を防止できる。
【００３８】
また、カードケース１は開口部５を有するので、利用者は開口部５を介して指でＩＣカードＫに触れることが可能となり、当該ＩＣカードＫに触れた指が、ＩＣカードＫの挿入方向Ｃとは逆方向にスライドさせることにより、ＩＣカードＫをカードケース２から容易に取り出すことができる。
【００３９】
また、カードケース１は、ガイド部７を有するので、ガイド部７にＩＣカードＫを滑らせながらカードケース１に挿入することができる。即ち、ＩＣカードＫを容易に収納することができる。一方、ガイド部７がない場合では、利用者は挿入口６に直接的にＩＣカードＫを挿入しなければならないため、ＩＣカードＫをカードケース１に挿入するのが容易ではない。従って、ガイド部７を有することにより、容易にカードケース１にＩＣカードＫを収納することができる。
【００４０】
また、カードケース１は、透明性材料によって形成されているので、ケース本体２の内部のＩＣカードの有無を確認することができる。また、カードケース１は、可撓性材料によって形成されているので、可撓性を有する部材にカードケースを装着して利用することができる。例えば、衣服等にカードケースを装着することができる。
【００４１】
（カードケースの第２実施形態）
本発明のカードケースの第２実施形態について図を参照して説明する。
図３は本実施形態に係るカードケースを示す外観図であってカードケースの表側から見た平面図である。本実施形態においては、第１実施形態と同一構成には同一符号を付して説明を省略し、異なる構成についてのみ説明する。
【００４２】
図３に示すように、カードケース１は、スイッチウインドウ（第１窓部）２１と、センサウインドウ（第２窓部）２２とを有している。
ここで、スイッチウインドウ２１及びセンサウインドウ２２は、符号Ｈの方向に向けてスライドするようになっており、当該スイッチウインドウ２１及びセンサウインドウ２２に対応する部分のみに関して、ケース本体２の開閉が可能となっている。具体的には、符号Ｈの左方向にスライドさせることにより、ウインドウ２１、２２共に開くことができ、また、右方向にスライドさせることにより、ウインドウ２１、２２共に閉じることができる。ここで、上記の押圧部３は、スイッチウインドウ２１に形成されている。また、上記の段差部４は、センサウインドウ２２に形成されている。
【００４３】
これにより、カードケース１にＩＣカードＫが収納されている状態においては、スイッチウインドウ２１が開くと、入力スイッチ３３はスロープ部１０の表面と滑りながら露出して入力スイッチ３３は符号３３ｂの方向に突出した状態となり、また、スイッチウインドウ２１が閉じるとで、入力スイッチ３３が符号３３ａの方向に押圧された状態となる。
また、同様にＩＣカードＫの収納状態においては、センサウインドウ２２が開くと、指紋センサ３０が露出して利用者の指の指紋情報を抽出することが可能となり、また、センサウインドウ２２が閉じることで、指紋センサ３０はセンサウインドウ２２によって被覆されて指紋センサ１０が保護される。
【００４４】
上述したように、本実施形態においては、スイッチウインドウ２１の閉口状態ではＩＣカードＫを停止状態にすることができ、スイッチウインドウ２１の開口状態ではＩＣカードＫを起動状態にすることができる。従って、スイッチウインドウ２１を開閉させることにより、ＩＣカードＫがカードケース１に収納されている状態でＩＣカードＫの動作のＯＮ／ＯＦＦを確実に規制することができる。
また、センサウインドウ２２の閉口状態では指紋センサ３０を保護することができ、センサウインドウ２２の開口状態では指紋センサ３０をカードケース１の露出させることができる。従って、センサウインドウ２２を開閉させることにより、ＩＣカードＫがカードケース１に収納されている状態で指紋センサ３０を保護させたり、指紋センサ３０を露出させたりすることができる。従って、ＩＣカードＫの収納状態で、指紋センサ３０を利用して、利用者の個人認証を行うことができる。
【００４５】
（カードケースの第３実施形態）
本発明のカードケースの第３実施形態について図を参照して説明する。
図４はカードケースの断面図である。本実施形態においては、第１及び第２実施形態と同一構成には同一符号を付して説明を省略し、異なる構成についてのみ説明する。
【００４６】
図４に示すように、カードケース１は、ガイド部７に形成されたストッパ（脱落防止部）２５と、押圧部３に形成された突起部２６とを有している。また、本実施形態のカードケース１に収納されるＩＣカードＫは、表面３４と同一面に位置する、或いは、表面３４よりも凹んだ面に位置する入力スイッチ３３を有している。そして、突起部２６は、ＩＣカードＫがカードケース１に収納された際に、表面３４と同一面或いは表面３４よりも凹んだ面に位置する入力スイッチ３３を押圧するようになっている。また、ストッパ２５は、収納状態のＩＣカードＫを収納スペース２ｃから脱落するのを抑制するものである。
【００４７】
上述したように、本実施形態においては、カードケース１は、突起部２６を有するので、ＩＣカードＫの表面３４と同一面又はそれよりも凹んだ面に入力スイッチ３３が形成されていても、当該入力スイッチ３３を確実に押圧することができる。これにより、収納時ではＩＣカードＫを停止状態に維持することができる。
また、カードケース１は、ストッパ２５を有するので、ＩＣカードＫの落下や脱落を抑制することができ、従って、ＩＣカードＫが収納された状態を確実に維持することができる。
【００４８】
なお、本発明は、上記の実施形態に限定されるものではなく、本発明の要旨を逸脱しない範囲で種々変更し得ることは勿論である。
また、上記の実施形態においては、ＥＰＤ３１を有するＩＣカードＫを説明したが、必ずしもＥＰＤ３１を有する必要はなく、ＥＰＤ３１がないＩＣカードＫをカードケース１に収納させてもよい。
【図面の簡単な説明】
【００４９】
【図１】第１実施形態のカードケースを示す図。
【図２】第１実施形態のカードケースに収納されるＩＣカードを示す図。
【図３】第２実施形態のカードケースを示す平面図。
【図４】第３実施形態のカードケースを示す断面図。
【符号の説明】
【００５０】
１  カードケース、  ２  ケース本体（収納部）、  ２ｃ  収納スペース（収納部）、  ３  押圧部、  ４  段差部、  ５  開口部、  ６  挿入口、  ７  ガイド部（案内部）、  ８  保持穴（連結部）、  ９  ベルト（保持部材）、  １０  スロープ部、  ２１  スイッチウインドウ（第１窓部）、  ２２  センサウインドウ（第２窓部）、  ２５  ストッパ（脱落防止部）、  ３３  入力スイッチ（入力手段）、  ３３ａ  鉛直方向、  Ｋ  ＩＣカード
【図１】
2006146397.tif 000003
【図２】
2006146397.tif 000004
【図３】
2006146397.tif 000005
【図４】
2006146397.tif 000006